(57)【要約】  搭載するバッテリを駆動源として撮影を行う移動型X装置において、所望の撮影の可否判断を支援する技術を提供する。予定されている撮影をリスト化した撮影リストと予め保持される部位毎の消費量情報とに基づいて、撮影リストを全て撮影した場合のバッテリ消費電力予定量を算出し、バッテリ残量とともに使用者に提示する。算出にあたっては、各種の補正を適用することができる。また、バッテリ残量とバッテリ消費予定量との差を表示してもよい。
2010004855.tif 000002
【特許請求の範囲】
【請求項１】
バッテリを有し、前記バッテリを駆動源としてX線撮影を行う移動型X線装置であって、
前記バッテリの残量であるバッテリ残量を検出する残量検出手段と、
回診予定のX線撮影をリスト化した撮影リストに基づいてバッテリ消費予定量を算出する消費予定量算出手段と、
前記バッテリ残量と前記バッテリ消費予定量とを表示する表示手段と、を備えること
を特徴とする移動型X線装置。
【請求項２】
請求項1記載の移動型X線装置であって、
前記バッテリ消費予定量は、前記撮影リストに登録されているX線撮影を全て行う場合のバッテリの消費量を含むことを特徴とする移動型X線装置。
【請求項３】
請求項1記載の移動型X線装置であって、
前記バッテリ消費予定量は、前記撮影リストに登録されているX線撮影を全て行う場合のバッテリの消費量を前記バッテリ残量から減算した量を含むことを特徴とする移動型X線装置。
【請求項４】
請求項1記載の移動型X線装置であって、
前記バッテリ消費予定量は、前記撮影リストに登録されているX線撮影を当該登録順に実行する場合、前記バッテリ残量で実行可能なX線撮影を特定する情報を含むことを特徴とする移動型X線装置。
【請求項５】
請求項1記載の移動型X線装置であって、
前記バッテリ消費予定量は、前記バッテリ残量でX線撮影可能な、撮影対象部位毎の枚数を含むことを特徴とする移動型X線装置。
【請求項６】
請求項2記載の移動型X線装置であって、
当該移動型X線装置は、前記バッテリを駆動源として移動を行い
前記撮影リストに登録されているX線撮影を全て行う場合のバッテリ消費量には、前記移動によるバッテリの消費量をさらに含むことを特徴とする移動型X線装置。
【請求項７】
請求項1記載の移動型X線装置であって、
前記バッテリ残量またはバッテリ消費予定量を変動させる要因に応じて前記バッテリ消費予定量または前記バッテリ残量の補正を行う補正手段をさらに備えることを特徴とする移動型X線装置。
【請求項８】
請求項7記載の移動型X線装置であって、
前記要因の中から前記補正を行うものの指示を受け付ける補正指示受付手段をさらに備えることを特徴とする移動型X線装置。
【請求項９】
請求項8記載の移動型X線装置であって、
前記補正指示受付手段において前記補正を行う要因としてバッテリ劣化を受け付けた場合、当該移動型X線装置の稼動時の電圧および電流を検出する劣化度検出手段と、
前記劣化度検出手段が検出した電圧および電流からバッテリ消費量を算出するとともに、前記算出したバッテリ消費量と予め保持する稼動時のバッテリ消費量とからバッテリ残量を補正する補正値を算出し、前記補正手段に通知する劣化度補正値算出手段と、を備えることを特徴とする移動型X線装置。
【請求項１０】
請求項1記載の移動型X線装置であって、
前記撮影リストの更新の指示を受け付ける入力手段と、
前記撮影リストに従って前記X線撮影を実行する撮影制御手段と、
前記入力手段を介して更新の指示を受け付けた場合、前記撮影リストを更新し、前記撮影リストを前記撮影制御手段によりX線撮影が行われた場合、当該X線撮影を撮影リストから削除することにより前記撮影リストを更新する撮影リスト管理手段と、をさらに備え、
前記消費予定量算出手段は、前記撮影リスト管理手段により前記撮影リストが更新された場合、前記バッテリ消費予定量を算出すること
を特徴とする移動型X線装置。
【請求項１１】
請求項10記載の移動型X線装置であって、
前記入力手段は、前記撮影リスト自体の入力もさらに受け付けることを特徴とする移動型X線装置。
【請求項１２】
請求項11記載の移動型X線装置であって、
前記入力手段は、ネットワークを介して前記撮影リストの入力および更新を受け付けること  を特徴とする移動型X線装置。
【請求項１３】
請求項6記載の移動型X線装置であって、
撮影対象の患者毎の平均的な移動距離に応じたバッテリ消費量である移動消費量を管理する移動消費量管理手段と、
前記移動消費量を実測する実測手段と、
前記実測手段により実測した移動消費量を用いて、前記移動消費量管理手段に管理されている移動消費量を更新する移動消費量更新手段と、をさらに備え、
前記移動によるバッテリ消費量は、前記移動消費量管理手段に管理されている移動消費量を用いて算出されることを特徴とする移動型X線装置。
【発明の詳細な説明】
【技術分野】
【０００１】
本発明は、病院内を回診してX線撮影をすることを主な目的とする移動型X線装置の運用管理技術に関する。特に、移動型X線装置のバッテリの電力消費量監視技術に関する。
【背景技術】
【０００２】
バッテリにより駆動する装置は、一般に、その時点でバッテリが供給可能な電力量(バッテリ残量)を検出し表示する機能を有する(例えば、特許文献1参照。)。病院内を回診してX線撮影を行う移動型X線装置も、X線照射を伴うX線撮影の駆動源としてバッテリを用いる。このため、バッテリ残量を示す機能を有し、使用者に充電またはバッテリ交換のタイミング、使用可能な時間の目安を示している。
【先行技術文献】
【特許文献】
【０００３】
【特許文献１】特許第3078286号公報
【発明の概要】
【発明が解決しようとする課題】
【０００４】
しかし、撮影条件によってバッテリの電力消費量は異なるため、バッテリ残量の情報だけでは予定している撮影を全て実行可能かの予測は難しい。特に、移動型X線装置は、X線撮影の駆動源だけでなく、移動時の動力源としてもバッテリを用いることもあり、なおさら予測は難しい。このため、移動後にバッテリの残量不足で撮影ができなくなることもある。これを避けるためには、余裕をもって充電を行う必要があり、無駄が多い。【０００５】
本発明は、上記事情に鑑みてなされたもので、搭載するバッテリを駆動源として撮影を行う移動型X線装置において、所望の撮影の可否判断を支援する技術を提供することを目的とする。
【課題を解決するための手段】
【０００６】
本発明は、予定されている撮影をリスト化した撮影リストと予め保持される部位毎の消費量情報とに基づいて、撮影リストを全て撮影した場合のバッテリ消費電力予定量を算出し、バッテリ残量とともに使用者に提示する。【０００７】
具体的には、バッテリを有し、前記バッテリを駆動源としてX線撮影を行う移動型X線装置であって、前記バッテリの残量であるバッテリ残量を検出する残量検出手段と、回診予定の撮影をリスト化した撮影リストに基づいてバッテリ消費予定量を算出する消費予定量算出手段と、前記バッテリ残量と前記バッテリ消費予定量とを表示する表示手段と、を備えることを特徴とする移動型X線装置を提供する。
【発明の効果】
【０００８】
本発明によれば、搭載するバッテリを駆動源として撮影を行う移動型X装置において、所望の撮影の可否の判断を容易に行うことができる。
【図面の簡単な説明】
【０００９】
【図１】本発明の実施形態の移動型X線装置の要部構成図。
【図２】本発明の実施形態の消費電力管理部の機能ブロック図。
【図３】本発明の実施形態の消費電力管理部のハードウェア構成図。
【図４】本発明の実施形態の撮影リストを説明するための図。
【図５】本発明の実施形態の部位別消費量テーブルを説明するための図。
【図６】本発明の実施形態の表示画面の一例を説明するための図。
【図７】本発明の実施形態のバッテリ消費予定量表示処理の処理フロー。
【図８】本発明の実施形態の消費電力管理部の補正のための機能ブロック図。
【図９】本発明の実施形態の消費電力管理部の移動消費量更新のための機能ブロック図。
【発明を実施するための形態】
【００１０】
以下、本発明の実施形態を図面を用いて説明する。なお、発明の実施形態を説明する全図において、同一機能を有するものは同一符号を付け、その繰り返しの説明は省略する。
【００１１】
図1は、本実施形態の移動型X線装置100の要部構成図である。本図に示すように、本実施形態の移動型X線装置100は、モータ駆動または手動で走行する移動台車106と、車輪107と、充電式バッテリ108と、X線を照射するX線発生部102と、X線発生部をアームを介して支持する本体101と、撮影を制御する撮影制御部109と、入力部103と、表示部104と、消費電力管理部105と、を備える。
【００１２】
本実施形態では、消費電力管理部105で充電式バッテリ108の電力の消費予定量を算出する。図2は、本実施形態の消費電力管理部105の機能ブロック図である。消費電力管理部105は、撮影リスト管理部201と、バッテリ残量検出部204と、バッテリ消費予定量算出部205と、表示処理部206と、を備え、撮影リスト210と、部位別消費量テーブル220と、移動消費電力量230とを用いて、バッテリ消費予定量250を算出するとともにバッテリ残量240を検出する。
【００１３】
なお、図3に示すように、消費電力管理部105は、各構成要素の動作を制御する中央処理装置(CPU)301と、CPU301が処理を行うため一時的にデータ等を格納するRAM302と、各種のデータや制御プログラムを格納するROM303と、処理結果を表示する表示装置304と、各種指示の入力を受け付ける入力装置305とを備える。
【００１４】
上述の各機能は、ROM303に格納された制御プログラムを、RAM302にロードして、CPU301が実行することにより実現される。なお、表示装置304および入力装置305は、移動型X線装置100の表示部104および入力部103とそれぞれ兼用するよう構成してもよい。また、移動型X線装置100は、病院内のネットワークに接続可能な構成を有する装置(例えば、CR装置またはFPD装置)を備えていてもよい。
【００１５】
撮影リスト管理部201は、入力装置305を介して入力され、ROM303に格納された撮影リスト210を管理する。撮影リスト210は、1回の回診で予定される撮影のリストであり、患者毎に撮影する部位および撮影枚数が登録される。図4は、撮影リスト210を説明するための図である。本図に示すように、撮影リスト210には、各撮影について、撮影順を特定する情報(順位情報)211と患者を特定する情報(患者情報)212と撮影部位を特定する情報(部位情報)213と撮影枚数214とが撮影データとして登録される。なお、患者情報212には、各患者を一意に特定する患者ID212aが登録される。また、撮影リスト管理部201は、撮影リスト210が新たに入力された場合、および、更新された場合、バッテリ消費予定量算出部205に通知する。なお、移動型X線装置100が病院内のネットワークに接続可能な構成を有する装置を備える場合、撮影リスト210は、当該装置を介して入力、更新されるよう構成してもよい。さらに、撮影リスト210は、当該装置内に保持されてもよい。
【００１６】
撮影リスト管理部210は、1の撮影が終了した旨の通知を撮影制御部106から受け取ると、終了した撮影の撮影データを撮影リスト210から削除し、撮影リスト210を更新する。このとき、削除した撮影以降の順位の撮影データの順位情報211を1ずつ繰り上げる。また、新たに撮影が追加された場合、指定された撮影順に追加された撮影データを挿入し、以降の順位の撮影データの順位情報211を挿入された撮影データ数ずつ繰り下げる。なお、管理は、例えば、回診終了の指示を、入力装置305を介して受け付けるまで継続する。
【００１７】
部位別消費量テーブル220には、撮影部位に応じた消費電力が登録される。図5は、部位別消費量テーブル220を説明するための図である。部位別消費量テーブル220では、撮影部位221毎にその撮影部位を撮影する場合に移動型X線装置100が消費する電力を特定可能な量(バッテリ消費量情報)222が保持される。バッテリ消費量情報222としては、例えば、当該部位を撮影する際に要求される管電圧(kV)および管電流時間積(mAs)が登録される。また、部位別消費量テーブル220は、予めROM303に格納される。なお、移動型X線装置100が病院内のネットワークに接続可能な構成を有する装置を備える場合、部位別消費量テーブル220は、移動型X線装置100外に保持されていてもよい。
【００１８】
移動消費電力量230として、患者間を移動する際に消費される電力量(移動消費電力量)が管理される。移動消費電力量230は、予め設定された値がROM303に登録される。
【００１９】
バッテリ残量検出部204は、所定の時間間隔、または、予め定めたイベントの発生を契機に充電式バッテリ108の供給可能な電力量を検出し、バッテリ残量240としてROM303に保持するとともに表示処理部206に通知する。バッテリ残量240の検出には、公知のバッテリ残量検出手法を用いる。例えば、充電式バッテリ108からの出力電圧を検出して、供給可能な電力量を算出する。
【００２０】
バッテリ消費予定量算出部205は、使用者からの指示、または、撮影リスト210が更新された旨の通知を撮影リスト管理部201から受け取ると、撮影リスト210に登録されている撮影を全て実行した場合の電力消費量をバッテリ消費予定量250として算出する。バッテリ消費予定量250は、撮影自体で消費される電力量である撮影消費予定量と、撮影間の移動型X線装置100の移動で消費される電力量である移動消費予定量とを合算したものである。
【００２１】
撮影消費予定量の算出には、撮影リスト210の部位情報213に合致する部位221に対応づけて部位別消費量テーブル220に格納される消費量情報222を用い、患者毎、部位毎の枚数分の消費量を算出し、合算する。また、移動消費予定量の算出には、撮影リスト210に登録されている患者数と、移動消費電力量230とを乗算することにより求める。患者数は、撮影リスト210の患者ID212aを用いてカウントする。バッテリ消費予定量算出部205は、算出したバッテリ消費予定量250を表示処理部206に通知する。
【００２２】
表示処理部206は、バッテリ残量240とバッテリ消費予定量250とを表示装置304に表示するための表示データを生成する。図6は、表示データによる表示画面600の一例を説明するための図である。表示画面600は、第一表示部601と第二表示部602とを備える。第一表示部601にバッテリ残量240が、第二表示部602にバッテリ消費予定量250がそれぞれ表示される。バッテリ残量240およびバッテリ消費予定量250は、それぞれ、通知を受けた際、その表示が更新される。表示は、例えば、充電式バッテリ108が100％充電された場合の電力量に対する百分率(0％〜100％)で示される。
【００２３】
なお、表示装置304は、表示内容を切り替える指示を受け付ける指示ボタン603を備えていてもよい。表示処理部206は、指示ボタン603を介して表示変更の指示を受け、例えば、バッテリ残量240およびバッテリ消費予定量250を、上述の数値表示からグラフ表示に変更する。もちろん、バッテリ残量240およびバッテリ消費予定量250の表示手法はこれらに限られない。グラフ表示、メータ表示、デジタル表示など、使用者が視覚的に捉えやすい表示形態であれば、その形態は問わない。
【００２４】
次に、本実施形態のバッテリ消費予定量250を算出し、表示する、消費電力管理部105によるバッテリ消費予定量表示処理の流れを説明する。ここでは、撮影リスト210の登録を契機に処理を開始する場合を例にあげて説明する。図7は、バッテリ消費予定量表示処理の流れを説明するためのフローである。ここでは、撮影リスト210の更新毎に、バッテリ消費予定量250を算出する場合を例にあげて説明する。なお、上述のように算出は、使用者からの指示があった場合のみ行うよう構成してもよい。また、バッテリ残量240は、所定の時間間隔で別途検出するものとする。
【００２５】
入力装置305を介して、撮影リストの入力を受け付けると(ステップ701)、撮影リスト管理部201は、ROM303に撮影リスト210を登録し(ステップ702)、バッテリ消費予定量算出部205に通知する。バッテリ消費予定量算出部205は、通知を受け取ると、撮影リスト210を参照し、バッテリ消費予定量250を算出する(ステップ703)。そして、算出結果を表示処理部206に通知する。表示処理部206は、バッテリ残量検出部204が保持する最新のバッテリ残量240と通知されたバッテリ消費予定量250とを用いて表示データを生成し(ステップ704)、表示装置304に表示させる(ステップ705)。その後、撮影リスト管理部201は、所定のタイミングで撮影リスト210の更新の有無と、使用者からの回診終了の指示を監視する(ステップ706、707)。更新があった場合は、ステップ702に戻り、回診終了の指示を受け付けた場合は、処理を終了する。
【００２６】
なお、また、移動型X線装置100が、CR装置またはFPD装置のように、予め撮影リスト210を保持するものである場合、例えば、入力装置305を介して使用者からバッテリ消費予定量算出開始の指示を受け付けたことを契機に、消費電力管理部105は、上記ステップ703以降を実行させる。
【００２７】
以上説明したように、本実施形態によれば、その時点のバッテリ残量だけでなく以降の撮影で消費される予定の電力量であるバッテリ消費予定量も表示部に表示される。バッテリ消費予定量には、移動型X線装置100の移動により消費される電力量の概算も加味される。従って、高い精度で算出されるバッテリ消費予定量を得ることができる。また、使用者は、バッテリ残量とバッテリ消費予定量とを比較することにより、容易に撮影リストに登録されている撮影の実行の可否、充電の要否を判断することができる。
【００２８】
また、撮影リストの更新に応じて、バッテリ消費予定量も更新される。従って、撮影の追加、再撮影要求、緊急撮影要求などの事態が発生した場合も、正確なバッテリ消費予定量を把握することができ、回診計画の変更にも容易に対応できる。
【００２９】
なお、上記実施形態では、バッテリ残量240とともにバッテリの消費予定量250を算出し、表示しているが、表示内容はこれに限られない。例えば、撮影リスト210に登録されている全撮影実行後に充電式バッテリ108が供給可能な電力量(バッテリ予定残量)を表示するよう構成してもよい。バッテリ予定残量は、バッテリ消費予定量算出部205により、バッテリ消費予定量250を算出後、その時点のバッテリ残量240からバッテリ消費予定量250を減算することにより算出される。そして、表示処理部206は、バッテリ残量240とともに、バッテリ予定残量を表示装置304に表示する。また、バッテリ予定残量がマイナスになった場合は、「不足」を示す情報を表示してもよい。
【００３０】
また、現在のバッテリ残量240で、撮影リスト210のどこまで撮影可能かを示す情報(撮影可能リスト)を表示するよう構成してもよい。この場合、バッテリ消費予定量算出部205は、撮影リスト210の順位順に、バッテリ残量240から、その撮影を行うために必要なバッテリの消費量を減算するとともに、患者情報が変わる毎に、移動消費量を減算することを、結果がマイナスになるまで繰り返す。バッテリ消費予定量算出部205は、マイナスになった場合、その直前の撮影データまでを撮影可能と判別し、例えば、直前の撮影データの順位情報211を表示処理部206に通知する。なお、撮影リスト210の全リストを処理してもマイナスにならない場合は、全て撮影可能を意味する情報を表示処理部206に通知する。表示処理部206は、バッテリ残量240とともに、撮影可能リストを表示する。
【００３１】
撮影可能リストとしては、例えば、撮影リスト210内の撮影可能と判別された撮影データを全て表示する、撮影可能と判別された撮影データを識別可能に表示する、撮影可能と判別された撮影データの順位情報211の中で最大のものを表示する、などが考えられる。
【００３２】
また、撮影リスト210に基づいた消費予定の電力量ではなく、バッテリ残量240で、撮影可能な部位毎の枚数(部位毎撮影可能枚数)を算出し、表示するよう構成してもよい。バッテリ消費予定量算出部205は、部位別消費量テーブル220に格納されている部位毎の消費量情報222を用い、部位毎撮影可能枚数を算出する。表示処理部206は、部位毎撮影可能枚数を表示装置304に表示する。部位毎に撮影で消費される電力は異なる。従って部位毎撮影枚数を得ることにより、使用者は、この情報を目安に、回診計画の変更を行い易くなる。
【００３３】
なお、本実施形態の移動型X線装置100は、バッテリ消費予定量250、バッテリ予定残量、撮影可能リスト、部位毎撮影可能枚数の1種以上算出および表示可能な構成としてもよい。また、これらのいずれを表示するか、使用者が選択可能な構成を備えていてもよい。複数の表示を可能とすることにより、使用者は、撮影リスト上の撮影の実行の可否をより容易に把握することができる。
【００３４】
さらに、バッテリ予定残量、撮影可能リスト、部位毎撮影可能枚数は、使用者からの指示または撮影リスト210の更新時に加え、バッテリ残量240が、直前の算出時から所定以上の変化した場合に行うよう構成してもよい。算出時のバッテリ残量を保持する構成およびバッテリ残量が更新される毎に保持されるバッテリ残量と比較する構成を備え、実現する。このように構成することにより、例えば、移動型X線装置100を起動したまま撮影を行わない場合、想定以上に長距離の移動が発生した場合等の、バッテリ残量に大きな変化があった場合に、より正確な算出結果を得ることができる。
【００３５】
さらに、本実施形態では、バッテリ消費予定量算出部205による上記各種の算出にあたり、各種の補正を考慮可能なように構成してもよい。また、考慮する補正を、選択可能なように構成してもよい。ここでは、一例として、充電式バッテリ108の使用時間、使用環境の温度、劣化、使用機器種別による補正が可能な場合を例にあげて説明する。これらの補正を行うため、消費電力管理部105が追加で有する構成を図8に示す。
【００３６】
消費電力管理部105は、補正選択受付部810と、使用環境の温度による補正を行うための温度計測部802および温度補正部820と、バッテリ劣化による補正を行うための劣化度検出部803および劣化度補正部830と、使用機器による補正を行うための種別入力部804および種別補正部840と、使用時間(時間経過)による補正を行うための時間計測部805と時間補正部850と、を備える。入力装置305を介して、選択された補正のみ行うよう補正選択受付部810は、各部に指示を行う。
【００３７】
一般にバッテリは、その使用環境の温度により、使用可能な容量が変化する。温度が下がれば、使用可能容量は小さくなるため、バッテリ残量240も小さくなる。充電式バッテリ108の使用環境の温度を計測するため、温度計測装置802は、充電式バッテリ108の周辺に設置される。温度計測装置802としては、例えば、サーミスタなどを用いる。補正選択受付部810で、温度による補正を考慮する指示を受け付けた場合、温度補正部820は、温度計測装置802で計測された温度を用いて、バッテリ残量240を補正する補正値を算出する。補正値は、予め保持する、温度とバッテリ容量の変化との相関情報、および、バッテリ容量と使用可能な電力量との相関情報を用いて算出する。そして、補正値をバッテリ残量検出部204に通知する。バッテリ残量検出部204は、補正値を用いて検出したバッテリ残量240を補正する。
【００３８】
また、一般にバッテリは、使用とともに劣化する。バッテリの劣化に伴い、バッテリの消費量は変化する。補正選択受付部810で、バッテリ劣化による補正を考慮する指示を受け付けた場合、劣化度検出部803は、撮影時および走行時などの高負荷時に電圧および電流を検出する。劣化度補正部830は、検出した電圧および電流から算出した消費量と、予め保持するこれらの高負荷時の消費量とを比較し、充電式バッテリ108の劣化状況を判別し、バッテリ残量を補正する補正値を算出し、バッテリ残量検出部204に通知する。バッテリ残量検出部204は、補正値を用いてバッテリ残量240を補正する。
【００３９】
移動式X線装置100が、院内ネットワークに接続する機能などの撮影以外の機能を有する、例えば、CR装置またはFPD装置を備える場合、それらの機能を可動させる分、消費電力量は増加する。補正選択受付部810で、装置種別による補正を考慮する指示を受け付けた場合、種別入力部804は、入力装置305を介して装置種別を特定する情報を受け付ける。種別補正処理840は、各装置に応じた消費電力量の増加を特定する情報を保持し、受け付けた装置種別に応じた増加する消費電力量(増分)を抽出する。そして、決定した増分をバッテリ消費予定量算出部205に通知する。バッテリ消費予定量算出部205は、算出したバッテリ消費予定量250に受け取った増分を加え、バッテリ消費予定量250とする。
【００４０】
なお、種別入力部804は、装置種別だけでなく、使用者を特定する情報を入力可能なように構成してもよい。この場合、種別補正部840は、使用者に応じた電力消費量の変動分を保持し、得られた増分をバッテリ消費予定量算出部205に通知する。
【００４１】
移動型X線装置100を起動したまま長時間撮影を行わない場合、充電式バッテリ108の出力は低下する。しかし、撮影リスト210の更新または使用者からの指示がなければ、バッテリ消費予定量算出部205は処理を行わない。従って、バッテリ予定残量、撮影可能リストおよび部位毎撮影可能枚数のいずれか1種の算出を行う場合、これらの算出結果の精度が低下する可能性がある。補正選択受付部810で、時間経過による補正を考慮する指示を受け付けた場合、時間計測部805は、バッテリ消費予定量算出部205の直前の算出からの経過時間を計測する。時間補正処理部850は、時間計測部805の計測を監視し、所定の時間以上経過したと判別した場合は、バッテリ消費予定量算出部205に再計算を行うよう指示する。そして、得られた結果でバッテリ消費予定量250を置き換えることにより補正する。本補正を採用することで、移動型X線装置100を起動したまま長時間撮影を行わなかった場合のバッテリ出力の低下を適時反映することができる。
【００４２】
以上説明したように、各種の補正も可能な構成を有する場合、より高い精度でバッテリ使用予定量を使用者に提示することができ、バッテリの充電タイミングをより正確に判断することができる。
【００４３】
なお、本実施形態では、移動消費予定量を考慮するか否かを選択可能な構成を備えてもよい。入力装置305を介して選択の指示を受け付けた場合、消費電力管理部105は、バッテリ消費予定量算出部205に、移動消費予定量も算出させる。また、移動消費電力量230は備えなくてもよい。この場合、バッテリ消費予定量算出部205は、撮影消費予定量のみを算出し、バッテリ消費予定量とする。例えば、移動型X線装置100を、主として手動で移動させて用いる場合は、このように構成することで、簡易な処理で必要な精度の情報を得ることができる。
【００４４】
また、移動消費電力量230を、使用施設(病院)に応じて補正可能な構成を有してもよい。1患者あたりの走行距離は、使用施設の規模により大きく異なるためである。
【００４５】
さらに、移動消費電力量230を更新可能な構成を有していてもよい。すなわち、実際の移動による消費電力から移動消費電力を算出し、回診毎に最新の算出結果に置き換える。
【００４６】
これを実現するため、消費電力管理部105は、図9(a)に示すように、移動消費電力量230を更新する移動消費量管理部203を備える。移動消費量管理部203は、バッテリ残量の変化等から移動時の実際の消費電力を計測する移動時消費電力計測部901と、計測した消費電力をその回診で撮影した患者数で割った実測移動消費電力量を、直近の所定数保持する実測値データベース902と、保持されている実測移動消費電力量の平均を算出し、最新の移動消費電力量230とする第一移動電力量算出部903とを備える。
【００４７】
また、単位移動距離に応じた消費電力量がわかっている場合は、1回の回診による平均移動距離に基づいて、移動消費電力量を更新するよう構成してもよい。これを実現するため、移動消費量管理部203は、図9(b)に示すように、移動台車106の車輪107近傍に設置され、車輪107の回転数から移動距離を検出する移動距離検出部911と、移動距離検出部911が検出した移動距離を直近の所定回数分保持する移動距離データベース912と、移動距離データベース912が保持する移動距離の平均を算出し、上記単位移動距離に応じた消費電力量を乗算し、その回診で撮影した患者数で割った値を移動消費電力量230とする第二移動電力量算出部913とを備える。
【００４８】
上述のように、移動消費電力量230を更新可能な構成にすることで、より移動消費予定量算出の精度が高まる。
【００４９】
さらに、上記実施形態では、指示ボタン603からの指示に応じて表示装置304に表示される内容を変更するよう構成しているが、これに限られない。例えば、表示装置304が移動型X線装置100の撮影条件の設定および表示等に用いられる表示部104と兼用される場合、移動中はバッテリ残量240およびバッテリ消費予定量250等の充電式バッテリ108に関する情報を表示させ、それ以外は、通常の表示を行うよう構成してもよい。
【００５０】
この場合、例えば、ブレーキ解除を検出するブレーキ解除検出部と表示データ切替部とを備え、ブレーキ解除検出部がブレーキが解除されたことを検出した場合、表示部104に表示させる表示データを切り替える。
【００５１】
以上のように構成することで、簡易な構成で必要な時に必要な情報を得ることができる。
【符号の説明】
【００５２】
100  移動型X線装置、101  本体  102  X線発生部、103  入力部、104  表示部、105  消費電力管理部、106  移動台車、107  車輪、108  充電式バッテリ、109  撮影制御部、201  撮影リスト管理部、204  バッテリ残量検出部、205  バッテリ消費予定量算出部、206  表示処理部、210  撮影リスト、211  順位情報、212  患者情報、212a  患者ID、213  部位情報、214  撮影枚数、220  部位別消費量テーブル、221  部位、222  消費量情報、230  移動消費電力量、240  バッテリ残量、250  バッテリ消費予定量、301  CPU、302  RAM、303  ROM、304  表示装置、305  入力装置、600  表示画面、601  第一表示部、602  第二表示部、603  指示ボタン、802  温度計測部、803  劣化度検出部、804  種別入力部、805  時間計測部、810  補正選択受付部、820  温度補正部、830  劣化度補正部、840  種別補正部、850  時間補正部、901  移動時消費電力計測部、902  実測値データベース、903  第一移動電力量算出部、911  移動距離検出部、912  移動距離データベース、913  第二移動電力量算出部
【図１】
2010004855.tif 000003
【図２】
2010004855.tif 000004
【図３】
2010004855.tif 000005
【図４】
2010004855.tif 000006
【図５】
2010004855.tif 000007
【図６】
2010004855.tif 000008
【図７】
2010004855.tif 000009
【図８】
2010004855.tif 000010
【図９】
2010004855.tif 000011
【国際調査報告】
2010004855.tif 000012
2010004855.tif 000013
2010004855.tif 000014
2010004855.tif 000015